(57)【要約】【課題】  インサータからの挿入紙されるシートが挿入すべきシートと一致しているかを自動的にチェックし、ミスプリントを防止する。【解決手段】  インサータから給紙された挿入紙の画像を読み取り、原稿画像と比較することで、挿入紙のみで挿入紙がユーザーの設定と合っているか確認する。  比較した画像データが異なっていれば、コピー（プリント）動作を中断すると共に警告メッセージを表示する。【選択図】  図１
2010102243.tif 000002
【特許請求の範囲】
【請求項１】
画像形成部により画像形成処理が施された記録紙に対して、トレイに積載されたインサート紙を画像形成部を経由することなく搬送してインサートする機能を備えた画像形成装置において、
前記インサート紙の画像データを含む全ての出力画像データを取得する画像データ取得手段と、
前記画像データ取得手段によって取得した画像データを記憶する第１の記憶手段と、
前記インサート紙をインサートするページを指定する為のインサートページ指定手段と、
前記インサートページ指定手段により、設定されたページに基づき、前記記録紙に対し、前記インサート紙を挿入するインサータ制御手段と、
前記インサート紙の搬送途中で前記インサート紙の画像データを読み取る第１の読取手段と、
前記第１の読取手段で読み取った画像データを記憶する第２の記憶手段と、
前記第１の記憶手段で記憶した画像データと前記第２の記憶手段で記憶した画像データを比較する比較手段とを持ち、
前記インサートページに対応しない画像に対しては、前記画像形成部により、画像形成処理を行い、前記インサートページに対応する前記画像については、前記画像形成部による画像形成処理を行わず、前記インサータ制御手段による前記インサートページを挿入し、前記インサート紙に対し、前記比較手段により、前記第１の記憶手段で記憶した画像データと前記第２の記憶手段で記憶した画像データとが、一致しなかった場合は、画像形成処理を中断することを特徴とする画像形成装置。
【請求項２】
前記比較手段により、前記第１の記憶手段で記憶した画像データと前記第２の記憶手段で記憶した画像データとが、一致しなかった場合は、前記インサート紙の積載状態が異常である旨を警告することを特徴とする請求項１に記載の画像形成装置。
【請求項３】
前記画像データ取得手段は、原稿を読み取る第２の読取手段であり、前記第２の読み取り手段によって、画像データを取得することを特徴とする請求項１又は請求項２に記載の画像形成装置。
【請求項４】
前記画像データ取得手段は、通信手段を介して外部装置から画像データを受信し、画像データを取得することを特徴とする請求項１又は請求項２に記載の画像形成装置。
【発明の詳細な説明】
【技術分野】
【０００１】
本発明は、画像形成部により画像形成処理が施された記録紙に対して、トレイに積載されたインサート紙を画像形成部を経由することなく搬送してインサートするインサート技術に関する。
【背景技術】
【０００２】
従来、カラー原稿と白黒原稿が混在した複数枚の原稿を複写する場合、カラー複写装置により、カラー原稿と白黒原稿が混在した複数枚の原稿の全てをプリントアウトさせることで、カラーページと白黒ページが混在する複写物を得ていた。
【０００３】
しかし、カラー複写装置は白黒複写装置よりも画像形成処理に長時間を要し、ランニングコストも高くなる。そこで、カラー原稿と白黒原稿が混在した複数原稿のうち、白黒原稿だけは白黒複写装置にてプリントアウトし、カラー原稿はカラー複写装置にてプリントアウトすることが考えられる。
【０００４】
しかし、この場合は、カラー原稿と白黒原稿が混在した複数枚の原稿について、ユーザが、まず白黒原稿とカラー原稿とに分ける必要がある。そして、白黒複写装置及びカラー複写装置にてそれぞれプリントアウトが完了したら、白黒原稿とカラー原稿とに分けた複数枚の原稿を、ユーザ自身が元の混在状態に戻さなければならず、ユーザの負担が非常に大きくなる。特に、原稿に頁番号が付されていない場合や、原稿枚数が多い場合には、白黒原稿（記録紙）とカラー原稿（記録紙）を元の混在状態に戻すのが困難である。
【０００５】
また、白黒複写装置にてプリントアウトさせた記録紙と、カラー複写装置にてプリントアウトさせた記録紙を元の複数枚の原稿のように１つに纏めるには、一方の複写装置で出力させた記録紙と記録紙の間に、もう一方の複写装置で出力させた記録紙をユーザがインサート（中差し）しなければならず、手間かかかり、特に、複数部数をコピーする場合には、大変な労力を要していた。
【０００６】
そこで、複数の画像をプリントアウトしたものを１つの資料にする際の煩雑さを解決する方法として、白黒の画像形成装置に装着されたインサータ装置に、予めプリントされたカラー画像出力紙を積載し、再給紙する混交制御方法がある。混交制御方法は、一般的に白黒出力に対して出力速度の点で劣るカラー画像形成装置による出力を一旦インサートトレイに格納し、カラー白黒混交を行うための諸情報、つまりプリント対象ジョブのジョブナンバーや紙サイズ、プリント部数、インサータ装置における紙の積載状態やマテリアル（普通紙や厚紙など紙の種類）などの情報を操作部などを用いて指定し、その設定に基づき、カラー画像と白黒画像との混交動作を行うものがある。
【０００７】
但し、上記従来の混交制御方法を用いたコピー処理においては、ユーザの入力ミスによるミスコピーの発生や、複雑な設定による煩わしさが伴い、未だにユーザにとっては大きな負担となっている為、画像形成システムにおいて、コンピュータから出力されたジョブに基づき、カラー画像形成装置或いは白黒画像形成装置で画像形成が完了したカラー画像出力紙或いは白黒画像出力紙を格納手段に格納し、格納されたカラー画像出力紙或いは白黒画像出力紙を、格納手段に装備された記憶手段に記憶された情報に基づき、白黒画像形成装置或いはカラー画像形成装置から排出される画像形成が完了した白黒画像出力紙或いはカラー画像出力紙の間に挿入し、１グループに混交する制御を行う装置が提案（例えば、特許文献１参照）されている。
【０００８】
また、画像形成を行う際に挿入紙を含む所定の情報を記録したシートを別途出力し、その出力されたシートを画像形成時に、読み込むことにより、ユーザのインサート設定に関する手間を省き、ミスコピーを防止する提案（例えば特許文献２参照）が成されている。
【特許文献１】特開２００３−２４１４５９号公報
【特許文献２】特開２００２−２９２９６３号公報
【発明の開示】
【発明が解決しようとする課題】
【０００９】
しかしながら、上記提案の画像形成装置においては、記憶手段を有した専用の格納手段を必要とする為、装置が大型化したり、また、インサータ装置にセットする挿入紙を他の格納手段に移動する際に手間が掛かるという問題や、不要なカバーシートを別途出力する必要があるなどの問題があった。
【課題を解決するための手段】
【００１０】
上記課題を解決するため、本発明は、画像形成部により画像形成処理が施された記録紙に対して、トレイに積載されたインサート紙を画像形成部を経由することなく搬送してインサートする機能を備えた画像形成装置において、前記インサート紙の画像データを含む全ての出力画像データを取得する画像データ取得手段と、前記画像データ取得手段によって取得した画像データを記憶する第１の記憶手段と、前記インサート紙をインサートするページを指定する為のインサートページ指定手段と、前記インサートページ指定手段により、設定されたページに基づき、前記記録紙に対し、前記インサート紙を挿入するインサータ制御手段と、前記インサート紙の搬送途中で前記インサート紙の画像データを読み取る第１の読取手段と、前記第１の読取手段で読み取った画像データを記憶する第２の記憶手段と、前記第１の記憶手段で記憶した画像データと前記第２の記憶手段で記憶した画像データを比較する比較手段とを持ち、前記インサートページに対応しない画像に対しては、前記画像形成部により、画像形成処理を行い、前記インサートページに対応する前記画像については、前記画像形成部による画像形成処理を行わず、前記インサータ制御手段による前記インサートページを挿入し、前記インサート紙に対し、前記比較手段により、前記第１の記憶手段で記憶した画像データと前記第２の記憶手段で記憶した画像データとが、一致しなかった場合は、画像形成処理を中断することを特長とする。
【００１１】
また、前記比較手段により、前記第１の記憶手段で記憶した画像データと前記第２の記憶手段で記憶した画像データとが、一致しなかった場合は、前記インサート紙の積載状態が異常である旨を警告することを特徴とする。
【００１２】
また、前記画像データ取得手段は、原稿を読み取る第２の読取手段であり、前記第２の読み取り手段によって、画像データを取得することを特徴とする。
【００１３】
また、前記画像データ取得手段は、通信手段を介して外部装置から画像データを受信し、画像データを取得することを特徴とする。
【発明の効果】
【００１４】
以上説明したように、本発明に係る発明によれば、原稿読み取り手段、もしくは、外部装置からのデータ受信により、インサータ紙の情報を含む全ての出力画像データを取得し、取得したインサータページの画像データと、インサータ用紙搬送時に改めて読み込んだ画像データを比較することにより、インサータトレイへのインサート紙の積載ミスを効率的に発見できると共に、積載ミスを検出して、警告することにより、ユーザの画像形成作業を軽減することが可能となる。また、カバー紙を用いる必要が無いので、用紙の節減にもなる。
【発明を実施するための最良の形態】
【００１５】
次に、本発明の詳細を実施例の記述に従って説明する。
【００１６】
［第一実施形態］
以下、本発明の実施の形態を図面に基づいて詳細に説明する。
【００１７】
図１は、本発明を適用した複写装置の概略構成を示す断面図である。なお、図１の複写装置は、カラー複写装置を示しているが、本発明は、白黒複写装置にも適用可能である。
【００１８】
図１において、複写装置１０００は、読取部１０１、画像形成部１０２、シート処理部１０３、及び操作部４０を有している。
【００１９】
読取部１０１は、自動原稿給送部５１と、原稿上の画像を読取るための３ラインセンサ（以下、ＣＣＤという）７６を有している。自動原稿給送部５１は、原稿積載トレイ５０にセットされた原稿Ｐを、原稿台ガラス７８上の原稿読取位置まで１枚ずつ給送し、原稿読取位置で原稿画像が読取られると、当該原稿を排紙位置まで搬送する。なお、原稿積載トレイ５０には、ユーザによりフェイスアップの状態で原稿Ｐがセットされる。原稿読取位置では、ランプ７９により原稿Ｐに光が照射され、その反射光は、反射ミラー７２，７３，７４、結像レンズ７５を介してＣＣＤ７６に入射される。
【００２０】
ＣＣＤ７６は、Ｒ（レッド），Ｇ（グリーン），Ｂ（ブルー）のアナログ色信号を独立して得るためのカラーラインセンサ、各色毎に増幅するためのアンプ、アナログ色信号を８ビットのデジタル言号に変換するためのＡ／Ｄ変換器を有している。ＣＣＤ７６からの出力信号は、画像信号制御部７７に入力される。
【００２１】
画像形成部１０２は、記録紙の給紙・搬送機能と画像形成機能とを備えている。記録紙の給紙・搬送機能は、異なるサイズの複数の記録紙Ｓをそれぞれ積載した記録紙格納部５３、５４から記録紙Ｓを１枚ずつピックアップする記録紙給紙部５５、５６、記録紙給紙部５５または５６から給紙された記録紙Ｓをシート搬送パス５７、シート搬送パス６０を介して画像形成位置（後述の感光体ドラム６２と対向する位置）へ搬送する複数の搬送ローラと、画像形成位置にてトナー画像が転写された記録紙Ｓを定着ローラ６４の方向へ搬送する搬送ベルト６３と、定着ローラ６４によりトナー画像の定着処理がなされた記録紙Ｓをシート処理部１０３ヘ搬送する搬送ローラ６５等により、実現されている。
【００２２】
また、画像形成機能は、電子写真方式により実現され、具体的にはレーザスキャナ６１、感光体ドラム６２、現像器６７、転写器６８、クリーナ６９、定着ローラ６４等により実現されている。すなわち、レーザスキャナ６１は、読取部１０１にて読取られ、画像信号制御部７７を介して入力された原稿画像信号に基づいて、感光体ドラム６２を走査するレーザ光を制御し、感光体ドラム６２に静電潜像を形成させる。この静電潜像は、現像器６７によりＲ，Ｇ，Ｂの各色のトナーによりトナー画像として現像される。そして、感光体ドラム６２上のトナー画像は、転写器６８により記録紙Ｓに転写され、定着ローラ６４により記録紙Ｓ上に定着される。
【００２３】
シート処理部（以下、フィニッシャという）１０３は、画像形成部１０２から搬送されてきた画像記録済みの記録紙Ｓを、各種の態様で装置外に排紙するものであり、主要な構成要素としてインサータ１０４、処理トレイユニット８４、サンプルトレイ８５、スタックトレイ８６、及び各種のシート搬送機構を有している。
【００２４】
インサータ１０４は、３段の各インサータトレイ２０ａ，２０ｂ，２０ｃにセットされたインサート紙Ｉを、画像形成部１０２から搬送されてきた記録紙Ｓと記録紙Ｓの間にインサート（中差し）するものである。なお、インサート紙Ｉは、本装置の画像形成部１０２にて画像形成処理が施されることなく、本装置で画像記録済みの記録紙Ｓと記録紙Ｓの間にインサートされる。
【００２５】
インサータ１０４は、給紙ローラ２１ａ，２１ｂ，２１ｃ、分離ローラ２２ａ，２２ｂ，２２ｃ，搬送ローラ２３ａ，２３ｂ，２３ｃ、インサート紙セットセンサ２７ａ，２７ｂ，２７ｃ、給紙ソレノイド（ピックアップソレノイドともいう）４３ａ，４３ｂ，４３ｃ（不図示）を有している。
【００２６】
また、インサート紙Ｉの搬送パス上にはインサータパスセンサ４１が設けられ、このインサータパスセンサ４１の位置をインサート紙Ｉが通過したことが検知される。
【００２７】
また、インサート紙Ｉの搬送パス上にはＣＣＤ９０が、設けられ、パス上を通過するインサート紙Ｉの画像データを読取り読み取ったインサート紙Ｉの画像データと、前以て、読取部１０１内に設けられた前述のＣＣＤ７６で読み取ったインサート紙Ｉに該当する原稿画像データとを比較することにより、インサート紙の積載ミスを検出する。
【００２８】
なお、以降の説明において、各段のインサータトレイ２０ａ，２０ｂ，２０ｃ、給紙ローラ２１ａ，２１ｂ，２１ｃ等を区別せずに一般的に説明する場合は、例えばインサータトレイ２０のように、各段を区別する為の添え字としてのａ，ｂ，ｃを削除した符号で示すこととする。
【００２９】
給紙ローラ２１は、通常、インサート紙Ｉから離間した位置で待機しており、後述するＣＰＵ２００２により制御されるタイミングで、給紙ソレノイド４３をオンすることによって、インサート紙Ｉに着地する。分離ローラ２２は、給紙ローラ２１にてピックアップされたインサート紙Ｉを１枚ずつ分離して給紙するためのローラであり、インサート紙セットセンサ２７は、インサータトレイ２０にインサータ紙Ｉがセットされているか否かを検知するためのセンサである。
【００３０】
また、本実施形態では、インサート紙Ｉがインサータトレイ２０にフェイスアップの状態でセットされることを前提としてインサート処理を行うように構成されており、給紙ローラ２１は、最上層のインサート紙Ｉから順に１枚ずつフェイスアップ状態で搬送する。このフェイスアップ状態で搬送されたインサート紙Ｉは、搬送ローラ２３、及び搬送ローラ２４，２６を介して、搬送ローラ２の位置へ搬送される。この搬送ローラ２の手前の搬送パスは、図示したように半円状になっているので、この半円状の搬送パスによりインサート紙Ｉは反転されてフェイスダウン状態となる。そして、インサート紙Ｉは、フェイスダウン状態のままサンプルトレイ８５、又はスタックトレイ８６ヘ搬送される。
【００３１】
なお、インサート紙Ｉを専ら搬送するための上記の各種ローラは、インサータ用の１つの搬送モータ（図示省略）により回転駆動されている。また、上記の搬送ローラ２等のフィニッシヤ１０３内の他の搬送ローラは、他のモータ（図示省略）により駆動制御されている。
【００３２】
一方、画像形成部１０２では、画像記録済みのフェイスアップ状態の記録紙Ｓをフェイスダウン状態でフィニッシャ１０３ヘ送り込む場合は、記録紙Ｓを一旦搬送ローラ６６側へ送り込んだ後に、スイッチバックさせることにより、表裏反転させてフィニッシャ１０３ヘ送り込む。また、記録紙Ｓをフェイスアップ状態でフィニッシャ１０３ヘ送り込む場合は、搬送ローラ６６側には送り込まずに（すなわち表裏反転させずに）、フェイスアップ状態の記録紙Ｓをそのままフィニッシャ１０３ヘ送り込む。
【００３３】
従って、インサータ１０４を用いてインサート処理を行う場合、インサータ１０４からのインサート紙Ｉと画像形成部１０２からの記録紙Ｓのフェースの向きを一致させるため、画像形成部１０２では、記録紙Ｓを表裏反転させてフェイスダウン状態でフィニッシャ１０３の入口ローラ１ヘ送り込むようにしている。
【００３４】
搬送ローラ２とその後方（出口側）の搬送ローラ３との間には、シート検知センサ３１が配置されている。このシート検知センサ３１は、搬送ローラ２から搬送されてくる記録紙Ｓ、またはインサート紙Ｉの通過を検知するための入口側のセンサとして機能する。
【００３５】
また、搬送ローラ３の後方の搬送パスには、記録紙Ｓ、またはインサート紙Ｉの後端付近に穴あけ処理を行うパンチュニット５０、比較的大口径ローラ（以下、バッファローラという）５が配置されている。このバッファローラ５の周囲には、バッファローラ５のロール面に記録紙Ｓ、またはインサート紙Ｉを押圧して搬送するための押付けコロ１２，１３，１４が設けられている。
【００３６】
また、バッファローラ５の後方の搬送パスは、ノンソートパス３５とソートパス３６とに分岐されており、ソートパス３６は、さらにインサート紙Ｉを一時的にソートパス３６から退避させるバッファパス４４に分岐されている。ノンソートパス３５とソートパス３６との切変えは、第１の切換フラッパ１１により行われ、ソートパス３６とバッファパス４４との切変えは、第２の切換フラッパ１０により行われる。また、ノンソートパス３５、ソートパス３６には、それぞれのパス上の記録紙Ｓおよびインサート紙Ｉを検知するためのシート検知センサ３３，３２が設けられている。
【００３７】
上記のように、インサート紙Ｉを一時的にソートパス３６からバッファパス４４に退避させておき、ソートパス３６に画像形成部１０２からの記録済みの記録紙Ｓが搬送されてきたことをシート検知センサ３２により検知した後に、バッファパス４４に退避させておいたインサート紙Ｉをソートパス３６に戻すことにより、インサート紙Ｉの挿入が行われる。
【００３８】
また、ソートパス３６には、記録紙Ｓ、またはインサート紙Ｉをサンプルトレイ８５に排出するための排出ローラ９が設けられ、ソートパス３６には、搬送ローラ６，７と、搬出ローラ８３ａと、処理トレイユニット８４が設けられている。この処理トレイユニット８４は、ステープルユニット８０、中間トレイ８２、整合板８８、搬出ローラ８３ｂを有している。
【００３９】
中間トレイ８２には、搬送ローラ６，７を介して搬送されてきた記録紙Ｓ及びインサート紙Ｉが一時的に集積され、この集積された記録紙Ｓ及びインサート紙Ｉは、整合板８８により整合されてステープルユニット８０によりステープルされる。そして、ステープルされた記録紙Ｓ及びインサート紙Ｉの束は、搬出ローラ８３ａ，８３ｂにより、スタックトレイ８６に搬出される。
【００４０】
なお、搬出ローラ８３ａは揺動ガイド８１により揺動可能に支持され、搬出ローラ８３ｂは固定的に支持され、揺動ガイド８１が閉じ位置に来たときに搬出ローラ８３ａが中間トレイ８２上の記録紙Ｓ及びインサート紙Ｉの束に当接し、この束を搬出ローラ８３ａ，８３ｂにより挟持してスタックトレイ８６に搬出するように構成されている。また、束積載ガイド８７は、スタックトレイ８６、サンプルトレイ８５上に積載されるシート束の後端縁（方向に対して後端縁）を突き当て支持するガイドであり、フィニッシャ１０３の外装を兼ねている。
【００４１】
このような構成の下で、ユーザは、原稿積載トレイ５０に原稿Ｐをセットし、操作部４０にて複写装置１０００に対する各種のモード設定等を行った後に画像形成処理を開始させる。複写装置１０００は、設定されたモードに応じて、読取部１０１にて原稿Ｐの読取処理を行うと共に、画像形成部１０２にて記録紙格納部５３、または５４からの画像記録位置への記録紙Ｓの給紙を開始する。
【００４２】
また、操作部４０にて指示されたシートの分類、インサート紙Ｉの挿入動作等に必要な部数等のデータと分類動作開始信号等の制御信号フィニッシャ１０３に対して送出し、フィニッシャ１０３の動作を開始させる。
【００４３】
次に、読取った原稿の画像情報に基づいて感光体ドラム６２上に静電潜像を形成し、その静電潜像をトナー画像として現像して、画像記録位置に搬送された記録紙Ｓ上に転写して定着させる。そして、フィニッシャ１０３により、インサート紙Ｉの給送、シートの分類、インサート紙Ｉの挿入、ステープル処理を行う。
【００４４】
図２は、画像信号制御部７７の構成を示すブロック図である。ＣＣＤ７６からの出力信号は、シェーディング補正部３０１にて各色毎にシェーディング補正され、シフトメモリ部３０２にて各色間、及び画素間のずれが補正され、その後、色判定部３１０、及び光濃度変換のための対数補正を行うＬＯＧ変換部３０３に入力される。
【００４５】
ＬＯＧ変換部３０３から出力された各色の濃度信号Ｙ（イエロー）、Ｍ（マゼンタ）、Ｃ（シアン）は黒生成部３０４に入力される。黒生成部３０４では、入力された各色の濃度信号に基づいて黒信号（ＢＫ）が生成される。マスキング／ＵＣＲ部３０５では、黒生成部３０４から出力されるＹ、Ｍ、Ｃ、ＢＫ信号に対して、カラーセンサ（ＣＣＤ）７６のフィルタ特性、及びトナー濃度特性に関する補正を行ない、この補正処理の後、４色の信号の中で現像されるべき１色の信号を選択して濃度変換部３０７に出力する。
【００４６】
濃度変換部３０７では、マスキング／ＵＣＲ部３０５から出力された色信号に対して、プリンタ（画像形成部１０２）の現像特性やユーザの指示に応じた濃度変換が行われ、トリミング処理部３０８にてユーザの所望する区間の編集処理が行なわれた後に、画像形成部１０２のレーザスキャナ６１に出力される。
【００４７】
また、色判定部３１０では、シフトメモリ部３０２から供給された原稿Ｐの各色の読取画像信号の信号レベルに基づいて、原稿Ｐの各読取画像が無彩色（白黒画像）であるか、或いは有彩色を含んでいる（カラー画像）かを判定する。すなわち、Ｒ、Ｇ、Ｂの各色信号のレベル差が小さい場合は、無彩色であると判定し、レベル差が大きい場合は、有彩色と判別する。
【００４８】
図３は、本実施形態の複写装置１０００を制御する制御部３００の構成を示すブロック図である。ＣＰＵ回路部２００は、メモリ２００１、中央処理演算部（以下、ＣＰＵという）２００２、Ｉ／Ｏ制御部２００３を含んでいる。メモリ２００１は、ＲＯＭ、ＲＡＭなどにより構成されている。ＲＯＭには後述するフローチャートに対応するプログラム等の各種プログラムや所定のデータがプリセットされており、ＲＡＭは、ＲＯＭ内のプログラムに従ってＣＰＵ２００２により各種の処理を行う際にワークエリアとして利用される。また、ＲＡＭは、ＩＣカード、フロッピーディスク等から読出したプログラムやデータの記憶媒体としても利用される。
【００４９】
Ｉ／Ｏ制御部２００３は、ＣＰＵ回路部２００と、ＣＰＵ回路部２００の外部の操作部制御部２０１、読取制御部２０２、画像形成制御部２０４、記録紙給紙制御部２０３、及びシート処理制御部２０５の間で授受される制御信号、データの入出力を制御する。なお、ＣＰＵ２００２は、各種の処理を行う際に、ＣＰＵ２００２以外の上記の全ての構成要素を統御するものである。
【００５０】
読取制御部２０２は、操作部４０の各種のキーをスキャンしたり、操作部４０の表示部の表示制御を行う。また、読取制御部２０２は、読取部１０１における前述の原稿画像の読取動作を制御する。画像形成制御部２０４は、画像形成部１０２における前述の画像形成動作を制御する。記録紙給紙制御部２０３は、画像形成部１０２における前述の記録紙Ｓの搬送動作を制御する。また、シート処理制御部２０５は、シート処理部１０３における前述のインサート紙Ｉのインサート処理を含むシート処理を制御する。
【００５１】
次に、操作部４０について説明する。図４は、本複写装置１０００の操作部４０を示す図である。
【００５２】
図４において、パワーランプ６２１は、電源が入っていることを示すためのランプであり、パワースイッチ６１３による電源のＯＮ／ＯＦＦの切換えに応じて点灯／消灯する。テンキー６２２は、画像形成（コピー）部数の設定や動作モードの設定等を行う際の各種の数値入力用、或いはファクシミリ設定モード時の電話番号入力用として使用する。
【００５３】
クリアキ−６２３は、テンキー６２２で入力した設定内容をクリアする場合に使用する。リセットキ−６１６は、設定したコピー部数や各種の動作モード、選択した給紙段等のモードを既定値に戻すためのものである。また、スタ−トキー６１４を押下することで、コピー動作を開始させることができる。スタートキ−６１４の中央には、赤色とグリーンのＬＥＤが設けられ、コピー動作を開始できない状態であれば赤色のＬＥＤが点灯し、コピー動作を開始できる状態であればグリーンのＬＥＤが点灯するように構成されている。
【００５４】
ストップキー６１５は、コピー動作の停止を行う際に使用する。また、ガイドキ−６１７を押下した後に、他のキーを押下すると、当該他のキーにより設定し得る機能の説明が表示パネル６２０にガイダンス表示される。このガイダンス表示を解除する場合は、再度、ガイドキ−６１７を押下すればよい。ユーザ設定キー６１８は、本複写装置１０００に予め設定されている規定の設定値をユーザが変更する場合に使用する。ユーザが変更できる設定内容としては、例えば、複写装置１０００に対する設定を自動的にクリアするまでの時間や、リセットキ−６１６を押下した際にリセットされるモード等がある。また、コピー動作中に割込みキー６１９を押下すると、現在実行中のコピー動作が中断されて新たなコピー動作が可能となり、その新たなコピー動作の終了後に中断に係るコピー動作が再開される。
【００５５】
表示パネル６２０は、液晶タッチパネルにより構成されており、詳細なモード設定を容易にすべく、モ−ドに応じて表示内容が切換えられ。
【００５６】
図４に示した表示パネル６２０には、複写動作モードの設定画面が表示され、この設定画面には、複数のタッチキー６２４〜６３２が表示されている。これらタッチキーのうち、用紙選択キー６２７は、所望のサイズの記録紙を選択するためのタッチキーであり、縮小キー６２８、等倍キー６２９、拡大キー６３０は、それぞれ縮小コピー、等倍コピー、拡大コピーのモードを設定するのタッチキーである。
【００５７】
応用モードキ−６２６は、多重動作や縮小レイアウトモード、表紙・合紙モード等の応用機能モードを設定するためのタッチキーである。この応用モードキ−６２６を押下することにより、各種の応用機能モードを設定するための設定画面が表示パネル６２０に表示されるので、この設定画面等を利用して所望の応用機能モードを設定する。
【００５８】
両面動作設定キー６２４は、両面コピー動作に関する各種のモードを設定するためのタッチキーであり、例えば、２枚の片面原稿の画像を記録紙の両面に振分けてコピーする「片一両モード」、両面原稿の両面の画像を記録紙の両面に振分けてコピーする「両一両モード」、両面原稿の両面の画像を２枚の記録紙の片面に振分けてコピーする力する「両一片モード」等の設定を行う際に使用する。
【００５９】
排紙処理キー６２５は、フィニッシャ１０３の各種動作モードの設定や画像メモリを用いた出力紙の仕分けモードの設定、インサート処理を行うためのインサートモードの設定等を行う際に使用するタッチキーである。
【００６０】
インサータ原稿読取モードキー６３０は、原稿読取モードを設定するためのタッチキーである。
【００６１】
インサータ原稿読取モードでは、原稿積載トレイ５０に積載されている複数原稿Ｐの中にインサート紙Ｉに対する画像データを含む１束全ての原稿Ｐを読み取るモードで、コピー処理は、インサート紙Ｉに対する画像データ以外を抽出して行われる。
【００６２】
インサータ原稿読取モードキー６３０が押下された場合は、タッチキーが白黒反転表示となり、インサータ原稿読取モードが設定されていることが分かるようになっている。また、反転状態のタッチキーを押下すると当該モードが解除となり、そのタッチキーは非反転表示（通常表示）となる。なお、インサータ原稿読取モードキー６３０のタッチキーが非反転表示の場合は、初期状態であり、原稿積載トレイ５０にセットされた原稿Ｐの全てに対してコピー処理を行う通常読取モードが設定されていることを示している。
【００６３】
上記のインサータ原稿読取モードでは、インサート紙Ｉを含む原稿全てに対する画像を前以て読み取り部１０１で読み取っておき、実際にインサート処理を行う際に、前以て読み込んでおいたインサート紙Ｉの画像データと実際にインサータ１０４から給紙され、シート処理部１０３内のＣＣＤ９０で読み取った画像データとを比較することでインサート紙Ｉの積載ミスを検出する為に使用される。
【００６４】
表示パネル６２０内に表示されているタッチキーのうち、現時点で使用できないタッチキ−については、その表示枠を点線で表紙するか、或いは表示部分全体を網掛けで表示するようにしている。また、表示パネル６２０内の上方箇所には、設定した複写動作の内容や現在の動作状態が表示され、図４では、表示パネル６２０の中央部の設定画面がコピーＡの設定画面であり、コピーＡに係るコピーが可能である旨等が表示されている。また、表示パネル６２０内の下方箇所には、その他の機能モードの動作状態が表示され、図４では、コピーＢに係る画像を画像形成部１０２に出力中である旨が表示されている。
【００６５】
図４において、コピーＡ機能キー６０１、コピーＢ機能キー６０４、ファックス機能キー６０７、プリンタ機能キー６１０は、複写動作、ファックス動作、プリンタ動作の各機能を設定すべく、表示パネル６２０の表示内容を切替えるために使用される機能キーである。これら機能キーのキーボタンは、半透明のキーボタンで構成されており、キーの内部にはＬＥＤ等の表示ランプ（不図示）が設けられている。そして、操作された機能キーの表示ランプのみが点灯制御される。
【００６６】
また、これらの機能キーの右側に配置されているグリーンのＬＥＤ６０３、６０６、６０９、６１２は、各機能の動作状況を表すべく点灯制御される。例えば、コピーＢ機能キー６０４を押下し、表示パネル６２０にコピーＢの操作画面を表示させた場合は、コピーＢに係る処理がスタンバイ中であればコピーＢ機能キー６０４の右側のＬＥＤ６０６は消灯制御される。また、図４のように、コピーＢが出力動作中であれば、コピーＢ機能キー６０４の右側のＬＥＤ６０６は点滅制御される。さらに、コピーＢの画像がメモリ２００１に保存されているが、コピーＢのプリント動作が行われていない状態では、コピーＢ機能キー６０４の右側のＬＥＤ６０６は点灯制御される。
【００６７】
一方、コピーＡ機能キー６０１、コピーＢ機能キー６０４、ファックス機能キー６０７、プリンタ機能キー６１０の左側に配置されている赤色のＬＥＤ６０２、６０５、６０８、６１１は、各機能で異常が発生した場合に点灯制御される。例えば、コピーＢに係る処理の最中に紙なし中断やジャムなどの異常が発生した場合は、コピーＢ機能キー６０４の左側のＬＥＤ６０５が点滅制御される。この状態でコピーＢ機能キー６０４を押下してコピーＢ機能に切替えると、表示パネル６２０にコピーＢの異常状況の詳細が表示される。
【００６８】
上述したこれらの機能キー６０１、６０４、６０７、６１０は、いずれの動作状況であってもキー操作が受理され、表示パネル６２０に表示させる設定画面を変更することが可能となっている。
【００６９】
そして、前述したストップキー６１５、スタートキ−６１４、リセットキ−６１６など、表示パネル６２０の外部に存在するキーは、コピーＡ機能キー６０１、コピーＢ機能キー６０４、ファックス機能キー６０７、プリンタ機能キー６１０の中から選択した機能に対応づけて機能させ得るようになっている。例えば、図４のように、コピーＡの操作画面を表示パネル６２０上に表示している時に、コピーＢの複写動作を停止させるには、コピーＢ機能キー６０４を押下して操作画面をコピーＢの操作画面に切替えた後に、ストップキー６１５を押せばよい。また、ユーザ設定キー６１８により変更した内容は、その変更時に選択していた機能に対して反映されているので、それぞれの機能に対して独立してユーザ設定を行うことができる。
【００７０】
図５は、図４の表示パネル６２０内の排紙処理キー６２５を押下することにより切替えられた排紙処理設定画面を示した図であり、この排紙処理設定画面にて、排紙処理に関する各種の排紙モードを選択することになる。
【００７１】
ソートキ−６３２は、ソートモードによる排紙処理の設定、ステープルキー６３３は、ソートした出力紙に対してステープル処理を行うモードの設定、グループキー６３４は、１つの原稿に対するコピーを１つのビンに排紙するためのグループモードの設定を行うために使用する。Ｓ置きインサートキー６３５、Ｆ置きインサートキー６３６は、インサート処理を行うモードの設定を行うキーである。これらＳ置きキー６３５、Ｆ置きキー６３6にて設定されるＳ置きモード、Ｆ置きモードについては、後述する。
【００７２】
なお、上述した排紙処理を設定するためのソートキー６３２、ステープルキー６３３、グループキー６３４のタッチキーは排他的なものであって、各モードから排紙モードを選択できるようになっている。また、インサートのモードを指示するＳ置きインサートキー６３５、Ｆ置きインサートキー６３６のタッチキーも排他的であり、何れかのキーが選択されている場合は、異なる側のタッチキーは選択できない。
【００７３】
また、図５，図６に示した取消キー６３７は、当該設定画面で設定したモードをキャンセルする場合に使用し、ＯＫキー６３８は、該設定画面にて設定したモードを確定する場合に使用する。
【００７４】
図７は、上記のＳ置きモードとＦ置きモードを説明するための図である。本明細書では、図７（ａ）のように、各インサータトレイ２０ａ〜２０ｃに一種類（同一ページ）のインサート紙Ｉが積載されている場合をＳ置きモードといい、図７（ｂ）のように、各インサータトレイ２０ａ〜２０ｃに複数ページ分のインサート紙Ｉをページの若い順に積重ねて積載する場合をＦ置きモードと呼んでいる。
【００７５】
［Ｓ置き／Ｆ置きモードの設定処理］
次に、これらＳ置きモード、Ｆ置きモードの設定処理を、図８のフローチャートに従って説明する。この設定処理は、操作制御部２０１から入力された信号に基づいて、ＣＰＵ２００２の制御の下に実行される。
【００７６】
ＣＰＵ２００２は、まず、操作部４０の表示パネル６２０上のインサート給紙モードが選択されたか否かを判別する（ステップＳ１０１）。その結果、インサート給紙モードが選択されなかった場合は、本設定処理を終了する。
【００７７】
一方、インサート給紙モードが選択された場合は、Ｓ置きキー６３５が操作されたか否かを判別する（ステップＳ１０２）。その結果、Ｓ置きキー６３５が操作された場合は、インサータトレイ２０ａ〜２０ｃへのインサート紙Ｉの積載態様を示すモードとして、Ｓ置きモードを設定して（ステップＳ１０３）、終了する。
【００７８】
一方、Ｓ置きキー６３５が操作されなかった場合は、Ｆ置きキー６３６が操作されたか否かを判別し（ステップＳ１０４）、Ｆ置きキー６３６が操作されなかった場合は、本設定処理を終了する。Ｆ置きキー６３６が操作された場合は、インサータトレイ２０ａ〜２０ｃへのインサート紙Ｉの積載態様を示すモードとして、Ｆ置きモードを設定して（ステップＳ１０５）、終了する。
【００７９】
［インサータ動作制御処理］
次に、ＣＰＵ２００２の制御の下に行われるインサータ動作制御処理を図９，図１０のフローチャートに基づいて説明する。
【００８０】
ＣＰＵ２００２は、コピーモードとしてインサート紙Ｉを挿入するインサートモードが設定されている場合に、スタートキー６１４によりコピーが指示されると（ステップＳ２０１）、インサータトレイ１０４に積載されているインサート紙Ｉの積載態様として、Ｓ置きモード、Ｆ置きモードのいずれが設定されているかを判別する（ステップＳ２０２）。
【００８１】
その結果、Ｓ置きモードが設定されている場合は、ステップＳ２０３に進み、使用されているインサータトレイ２０ａ〜２１ｃの個数を定数ｋにセットする（ステップＳ２０３）。ここで、「使用されている」とは、本装置に搭載されているインサータトレイ２０ａ〜２１ｃの個数ではなく、使用者が実際にインサート紙Ｉを積載したインサータトレイの個数を意味し、この個数は使用者によって入力される。
【００８２】
次に、最初にインサート紙Ｉを給紙するインサータトレイ２０ａの番号として“１”を変数ｉにセットする（ステップＳ２０４）。そして、インサータ給紙タイミング信号が発生されたか否か、すなわちインサート紙Ｉを給紙するタイミングが到来したか否かを判別する（ステップＳ２０５）。インサート紙Ｉを給紙するタイミングについては、図１１，図１２を用いて後述する。
【００８３】
ここで、インサータ給紙タイミング信号が発生すると、変数ｉで示される番号のインサータトレイ２０にインサート紙Ｉが積載されているか否かをインサータ１０４（シート処理部２０５）に問合わせる（ステップＳ２０６）。このインサート紙Ｉの積載の有無は、変数ｉで示される番号のインサータトレイ２０のインサート紙セットセンサ２７により行われる（後述のステップＳ２１８，Ｓ２２５も同様）。
【００８４】
その結果、インサート紙Ｉが積載されていなければ、インサート紙Ｉを補給するようメッセージを表示し（ステップＳ２０７）、インサート紙有りフラグを“０”クリアして（ステップＳ２０８）、ステップＳ２０６に戻る。一方、インサート紙Ｉが積載されていれば、インサート紙有りフラグに“１”をセットする（ステップＳ２０９）。そして、インサータ動作要求フラグに“１”をセットして、変数ｉと共にインサータ１０４に出力する（ステップＳ２１０）。
【００８５】
次に、インサート紙Ｉの給紙処理の完了を示す“０”のインサータ動作要求フラグがインサータ１０４から返送されてきたか否かを判別する（ステップＳ２１１）。その結果、まだ、返送されてこない場合は、ステップＳ２１１に戻ることにより、インサート紙Ｉの給紙処理が完了するのを待つ。
【００８６】
“０”のインサータ動作要求フラグがインサータ１０４から返送されてきた場合は、変数ｉと定数Ｋが等しいか否か、すなわち現在指定されているインサータトレイ２０の番号が使用中のインサータトレイ数と等しくなっているか否かを判別する（ステップＳ２１２）。その結果、等しくなっている場合には、ステップＳ２１０でのインサータ動作要求が最後のインサート紙Ｉの挿入要求であったか否かを判別し（ステップＳ２１３）、最後のインサート紙Ｉの挿入要求でなかった場合は、再度、トレイ番号“１”のインサータトレイ２０からインサート紙Ｉを給紙すべくステップＳ２０４に戻り、最後のインサート紙Ｉの挿入要求であった場合は、終了する。
【００８７】
一方、現在指定されているインサータトレイ２０の番号が使用中のインサータトレイ数と等しくなっていなかった場合は、変数ｉを“１”だけインクリメントして（ステップＳ２１４）、ステップＳ２０５に戻る。従って、Ｓ置きモードが設定されている場合であっても、インサータトレイ２０の段数やコピー部数が多く、用紙が無くなったインサータトレイ２０に対してインサート紙Ｉを捕給する時間的な余裕がある場合には、ジョブを停止させることなくコンティニアスランが可能であり、インサータトレイ２０の段数より多くの種類のインサート紙Ｉを自動的にインサートさせることも可能となる。
【００８８】
ステップＳ２０２において、インサータトレイの積載態様がＦ置きモードであると判別された場合は、使用されているインサータトレイ２０ａ〜２１ｃの個数を定数ｋにセットする（ステップＳ２１５）。次に、最初にインサート紙Ｉを給紙するインサータトレイ２０ａの番号として“１”を変数ｉにセットする（ステップＳ２１６）。
【００８９】
そして、インサータ給紙タイミング信号が発生されたか否か、すなわちインサート紙Ｉを給紙するタイミングが到来したか否かを判別する（ステップＳ２１７）。ここで、インサータ給紙タイミング信号が発生すると、変数ｉで示される番号のインサータトレイ２０にインサート紙Ｉが積載されているか否かをインサータ１０４（シート処理部２０５）に問合わせる（ステップＳ２１８）。
【００９０】
その結果、インサート紙Ｉが積載されていなければ、インサート紙Ｉを補給するようメッセージを表示し（ステップＳ２１９）、インサート紙有りフラグを“０”クリアして（ステップＳ２２０）、ステップＳ２１８に戻る。一方、インサート紙Ｉが積載されていれば、インサート紙有りフラグに“１”をセットする（ステップＳ２２１）。そして、インサータ動作要求フラグに“１”をセットして、変数ｉと共にインサータ１０４に出力する（ステップＳ２２２）。
【００９１】
次に、インサート紙Ｉの給紙処理の完了を示す“０”のインサータ動作要求フラグがインサータ１０４から返送されてきたか否かを判別する（ステップＳ２１１）。その結果、まだ、返送されてこない場合は、ステップＳ２１１に戻ることにより、インサート紙Ｉの給紙処理が完了するのを待つ。
【００９２】
“０”のインサータ動作要求フラグがインサータ１０４から返送されてきた場合は、ステップＳ２２２でのインサータ動作要求が最後のインサート紙Ｉの挿入要求であったか否かを判別し（ステップＳ２２４）、最後のインサート紙Ｉの挿入要求であった場合は、終了する。一方、最後のインサート紙Ｉの挿入要求でなかった場合は、現在、変数ｉで指定されているインサータトレイ２０に未だインサート紙Ｉが有るか否かを判別する（ステップＳ２２５）。その結果、未だインサート紙Ｉが有る場合は、ステップＳ２１７に戻ることにより、現在指定中のインサータトレイ２０からのインサート紙Ｉの給紙を続行する。
【００９３】
一方、現在指定中のインサータトレイ２０にインサート紙Ｉが無い場合は、次のインサータトレイ２０から給紙すべく、変数ｉを“１”だけインクリメントする（ステップＳ２２６）。そして、変数ｉが定数Ｋ以下であるか否か、すなわち最後のトレイ番号のインサータトレイ２０のインサート紙Ｉまで全て給紙し終えたか否かを判別し（ステップＳ２２７）、まだ給紙し終えていなければ、ステップＳ２１７に戻る。一方、最後のトレイ番号のインサータトレイ２０のインサート紙Ｉまで全て給紙し終えた場合は、再度、トレイ番号“１”のインサータトレイ２０からインサート紙Ｉを給紙すべくステップＳ２１６に戻る。
【００９４】
従って、Ｆ置きモードが設定されている場合には、用紙がなくなったインサータトレイ２０に対してインサート紙Ｉを捕給することで、ジョブを停止させることなくコンティニアスランが可能である。
【００９５】
［インサータ給紙タイミング信号の発生処理］
次に、上記のインサータ給紙タイミング信号の発生処理を、図１１のフローチャートに従って説明する。なお、インサータトレイ１０４には、挿入すべきインサート紙Ｉが積載され、原稿積載トレイ５０には、インサート紙の画像データを含む全ての原稿が混在した状態のオリジナルの複数原稿が積載されている。
【００９６】
ＣＰＵ２００２は、まず、インサータ原稿読取モードキー６３０の操作によりインサータ原稿読取モードが選択されているか否かを判別し、インサートすべきページの番号が入力されるのを待つ（ステップＳ３０１）。例えば、図７の（ｃ）のように、原稿ページ数が８ページでインサートしたいページが４ページ、６ページ、８ページの３ページであった場合は、操作部４０からそのページ番号“４”、“６”、“８”を入力すればよい。
【００９７】
インサートページのページ番号が入力されると、スタートキー６１４の操作によりコピースタートが指示されるのを待つ（ステップＳ３０２）。次に、コピー開始時には、全ての原稿を読み取ったから否かを判別する為のフラグである原稿読取完了フラグをゼロにクリアしておく（ステップＳ３０３）。
【００９８】
続いて、原稿読取完了フラグが、１にセットされていれば、既に全ての原稿に対する読み込みが完了していると判断しステップ３０６へ、原稿読取完了フラグが、１にセットされていなければ、まだ全ての原稿についての読み込みが完了していないと判断し、ステップ３０５へ進む（ステップＳ３０４）。
【００９９】
ステップ３０４で、全ての原稿の読み取りが完了していないと判断されると、原稿を１枚給紙するとともに該原稿を読み込む（ステップＳ３０５）、続いてページカウンタを“１”だけインクリメントする（ステップＳ３０６）。そして、ページカウンタで示される原稿ページがインサートページであるか否かを判別する（ステップＳ３０７）。その結果、インサートページでなければ、画像形成処理等の一連のコピー処理を行って（ステップＳ３０８）、ステップＳ３１１に進む。
【０１００】
一方、インサートページであれば、ステップＳ３０９に進む。ステップＳ３０９では、インサータ給紙タイミング信号を発生する。
【０１０１】
なお、上記の説明から推測できるように、インサートページのタイミングでは、原稿給紙処理だけが行われ、それ以降のコピー処理は実行されないこととなる。これは、当該インサートページに係る原稿は、インサート紙Ｉとしてインサータトレイ２０にセットされており、インサートページについてコピー処理を行うと、同一ページをコピーしたコピー紙が重複してしまうので、その重複を回避するためである。
【０１０２】
次に、インサート紙有りフラグが“１”になるのを確認して（ステップＳ３１０）、給紙した原稿、またはインサートページ（インサート紙）が原稿束の最後であったか否かを判別する（ステップＳ３１１）。その結果、原稿束の最終ページでなかった場合は、ステップＳ３０４に戻る。原稿束の最終ページであった場合は、全ての原稿を読み取ったとして、原稿読取完了フラグを１にセット（ステップＳ３１２）するとともに、一束分の原稿に対する給紙動作を完了したとして、原稿ページカウンタをゼロにクリア（ステップＳ３１３）する。
【０１０３】
さらに最後のジョブであったか否か、すなわち、設定されているコピー部数の最後の部数に対応する原稿束の最終ページであったか否かを判別する（ステップＳ３１４）。その結果、最後のジョブであった場合は終了し、最後のジョブでなかった場合は、ステップＳ３０６に戻る。
【０１０４】
［インサート紙の給紙処理］
次に、インサータ１０４を用いたインサート紙Ｉの給紙処理を、図１２のフローチャートに従って説明する。なお、このインサート紙Ｉの給紙処理は、ＣＰＵ２００２の制御の下にシート処理制御部２０５により行われるものである。
【０１０５】
シート処理制御部２０５は、ＣＰＵ２００２からの“１”のインサータ動作要求フラグを受信すると（ステップＳ４０１）、受信した変数ｉで示されるインサータトレイ２０の給紙ソレノイド４３（不図示）をオンすることにより、当該トレイの給紙ローラ２１をインサート紙Ｉ上に着地させる（ステップＳ４０２）。そして、当該トレイ２０のインサート紙Ｉを搬送すべく、インサータ用の搬送モータをオンして上記給紙ローラ２１等のインサータ用のローラを回転させる（ステップＳ４０３）。
【０１０６】
次に、インサート紙Ｉの搬送パス上に設けられたインサータパスセンサ４１が一旦オンすることを確認し（ステップＳ４０４）、後にオフしたのを確認して、すなわちインサート紙Ｉの後端がインサータパスセンサ４１の位置を通過したことを確認して（ステップＳ４０５）、インサータ用の搬送モータをオフする（ステップＳ４０６）。なお、インサータ用の搬送モータをオフした後は、インサートＩは、記録紙Ｓと共通の搬送パスの搬送ローラ用の搬送モータ（図示省略）によりソートパス３６に搬送されて、画像形成部１０２から搬送されてきた記録紙Ｓに対してインサートされる（以下、同様）。
【０１０７】
次に、上記変数ｉで示されるインサータトレイ２０のピックアップソレノイド４３をオフすることによって、当該トレイ２０の給紙ローラ２１をインサート紙Ｉから離れた位置に退避させる。そして、インサータ動作要求フラグを“０”クリアしてＣＰＵ２００２に返却する（ステップＳ４０８）。
【０１０８】
次に、インサート紙Ｉの画像データをＣＣＤ９０で読み取る（ステップＳ４０９）。そして、読み取った画像データと先ほどの［インサータ給紙タイミング信号の発生処理］内のステップＳ３０５で読み取り部１０１で読み込んだインサータページの画像データとを比較する（ステップＳ４１０）。比較した画像データが同一であれば、正しくインサート処理が行われていると判断し、インサート紙の給紙処理を終了し、次のインサート紙の給紙要求に備える。一方、インサート紙Ｉの画像データと、前以て、読み取り部１０１で読み込んだインサータページの画像データとが異なっていれば、インサータトレイ２０に適切にインサート紙Ｉがセットされていない状態であると判断し、コピー処理を中断する（ステップＳ４１２）とともに、ユーザに対し、インサート紙Ｉの画像データのミスマッチの通知、及び、インサート紙Ｉのセット状態を確認する旨の警告（ステップＳ４１３）を行い、終了する。警告方法については、以下で説明する。
【０１０９】
図６は、図１の複写装置の操作部の表示パネルにインサータ警告メッセージが表示された状態の一例を示す図である。
【０１１０】
警告メッセージ部６３９は、操作部４０内の表示パネル６２０の下方に、画像形成処理の警告メッセージを表示する情報表示欄であり、例えば、図１２のステップＳ４１３等の様にユーザに対し、警告メッセージを表示する際に使用される。警告メッセージを表示することにより、ユーザに対し、適切な不具合状態の通知と、適切な復帰作業指示を行うことが可能となり、ユーザビリティを向上させることが出来る。
【０１１１】
本実施例では、インサート紙の画像データを含む全ての原稿が混在した状態のオリジナルの複数原稿を積載し、原稿読取処理で、読み込む例を挙げたが、インサート紙Ｉの画像データのみを前以て原稿読取処理で読み込んでおき、インサートページをメモリ２００１に保持しておき、改めて画像形成する原稿のみを読み取り、先ほどのインサートページをページ指定しインサートするコピー処理を行っても構わない。
【０１１２】
また、本実施例では、オリジナルの画像データを取得する為に、原稿積載トレイ５０に積載した原稿Ｐを自動原稿給装部５１により給紙搬送し、ＣＣＤ７６で読み取る例で説明したが、画像データは、外部装置から通信回線を介して取得しても構わない。
【図面の簡単な説明】
【０１１３】
【図１】本発明を適用した複写装置の概略構成を示す断面図である。
【図２】図１の複写装置の画像信号制御部の構成を示すブロック図である。
【図３】図１の複写装置の制御部の構成を示すブロック図である。
【図４】図１の複写装置の操作部の表示パネルに複写動作モードの設定画面が表示された状態を示す図である。
【図５】図１の複写装置の操作部の表示パネルに排紙処理設定画面が表示された状態を示す図である。
【図６】図１の複写装置の操作部の表示パネルにインサータ警告メッセージが表示された状態を示す図である。
【図７】Ｓ置きモードとＦ置きモードを説明する為の図である。
【図８】Ｓ置きモードとＦ置きモードの設定処理を示すフローチャートである。
【図９】インサータ動作制御処理を示すフローチャートである。
【図１０】図９の続きのフローチャートである。
【図１１】インサータ給紙タイミング発生処理を示すフローチャートである。
【図１２】インサート紙の給紙処理を示すフローチャートである。
【符号の説明】
【０１１４】
２０ａ，２０ｂ，２０ｃ  インサータトレイ
２１ａ，２１ｂ，２１ｃ  給紙ローラ
２２ａ，２２ｂ，２２ｃ  分離ローラ
２３ａ，２３ｂ，２３ｃ  搬送ローラ
４０  操作部
４１  インサータパスセンサ
４３ａ，４３ｂ，４３ｃ  給紙ソレノイド（不図示）
４４  バッファパス
５０  原稿積載トレイ
７６  ＣＣＤ（１０２画像形成部内）
９０  ＣＣＤ（１０３シート処理部内）
１０１  読み取り部
１０２  画像形成部
１０３  シート処理部
１０４  インサータ
２０５  シート処理制御部
６３９  警告メッセージ部
１０００  複写装置
２００１  メモリ
２００２  ＣＰＵ
Ｉ  インサート紙
【図１】
2010102243.tif 000003
【図２】
2010102243.tif 000004
【図３】
2010102243.tif 000005
【図４】
2010102243.tif 000006
【図５】
2010102243.tif 000007
【図６】
2010102243.tif 000008
【図７】
2010102243.tif 000009
【図８】
2010102243.tif 000010
【図９】
2010102243.tif 000011
【図１０】
2010102243.tif 000012
【図１１】
2010102243.tif 000013
【図１２】
2010102243.tif 000014